(57)【要約】【課題】構成を複雑化することなくリテーナの移動案内を行う。【解決手段】コネクタ１０は、第１キャビティ４１を有するハウジング本体４０と、ハウジング本体４０の前方に位置して端子金具１６０を抜け止めするランス８２を有するランス体８０と、前後方向に関してハウジング本体４０とランス体８０との間に位置し、端子金具１６０の第１キャビティ４１への挿抜を許容する仮係止位置と、端子金具１６０をランス８２とともに抜け止めする本係止位置とに前後方向と直交する方向に移動可能なリテーナ６０とを別々に備えている。ハウジング本体４０の前面には、ランス体８０の位置まで延出してランス体８０を弾性的に係止することにより、ランス体８０のハウジング本体４０からの離脱を規制する保持片４８が撓み可能に設けられている。保持片４８は、仮係止位置と本係止位置との間を移動するリテーナ６０と摺接する摺接面４９を有している。【選択図】図５
2010103029.tif 000002
【特許請求の範囲】
【請求項１】
端子金具を挿入可能なキャビティを有するハウジング本体と、前記ハウジング本体の前方に位置して前記端子金具を抜け止めするランスを有するランス体と、前後方向に関して前記ハウジング本体と前記ランス体との間に位置し、前記端子金具の前記キャビティへの挿抜を許容する仮係止位置と、前記端子金具を前記ランスとともに抜け止めする本係止位置とに前後方向と交差する方向に移動可能なリテーナとを備え、前記リテーナ、前記ランス体及び前記ハウジング本体がそれぞれ別体とされているものであって、
前記ハウジング本体の前面には、少なくとも前記ランス体の位置まで延出して前記ランス体を弾性的に係止することにより、前記ランス体の前記ハウジング本体からの離脱を規制する保持片が撓み可能に設けられ、
前記保持片は、前記仮係止位置と前記本係止位置との間を移動する前記リテーナと摺接する摺接面を有していることを特徴とするコネクタ。
【請求項２】
前記ランス体の前面にはフロントマスクが装着され、前記フロントマスクには前記保持片の撓み空間に進入して前記保持片の撓みを規制する規制部が設けられている請求項１記載のコネクタ。
【請求項３】
前記フロントマスクには、前記仮係止位置と前記本係止位置との間を移動する前記リテーナと摺接する案内壁が設けられている請求項２記載のコネクタ。
【発明の詳細な説明】
【技術分野】
【０００１】
本発明は、コネクタに関する。
【背景技術】
【０００２】
特許文献１には、端子金具を挿入可能な複数のキャビティを有するハウジングと、ハウジングに装着されて仮係止位置と本係止位置とに前後方向と直交する方向に移動可能なリテーナとを備えたコネクタが開示されている。キャビティの内面には、端子金具を抜け止めする撓み可能なランスが突出して設けられている。ハウジングの前後方向中間部には各キャビティに通じるリテーナ装着溝が三面に跨って開口して設けられている。
【０００３】
ところで、上記の構成によれば、ハウジングがリテーナ装着溝を有することによって括れ形状とされているため、ハウジングを成形する際に、リテーナ装着溝を挟んだ前後領域に樹脂が流れ難く、小型のコネクタには適用し難いという事情がある。これに鑑み、ハウジングを、ランスを有するランス体と、ランスを有しないハウジング本体とに別々に分割して形成し、その間にリテーナを挟持する構成とすることが考えられた。これによれば、リテーナ装着溝が省略されてハウジングに括れ部分が形成されないため、ハウジングの成形時に上記のような樹脂流動性の悪化をまねくこともない。このように、ランス体、ハウジング本体及びリテーナを別々に形成したコネクタは特許文献２に例示されている。
【特許文献１】特開２００４−３５５９０４
【特許文献２】特開２００８−６５９８５公報
【発明の開示】
【発明が解決しようとする課題】
【０００４】
ところで、リテーナがハウジングに装着される構成であれば、リテーナ装着溝の溝面によってリテーナの移動案内がなされるが、ランス体とハウジング本体とが別体とされる場合には、リテーナ装着溝自体がなくなるため、これに代わってリテーナの移動案内手段を確保する必要がある。しかるにこの場合に、リテーナの移動案内をなす専用構造を設けるのでは構造上の制約が多く、構成の複雑化を招いて好ましくないという事情がある。
【０００５】
本発明は上記のような事情に基づいて完成されたものであって、ランス体とハウジング本体とが別体とされる場合に、構成を複雑化することなくリテーナの移動案内を行うことを目的とする。
【課題を解決するための手段】
【０００６】
上記の目的を達成するための手段として、請求項１の発明は、端子金具を挿入可能なキャビティを有するハウジング本体と、前記ハウジング本体の前方に位置して前記端子金具を抜け止めするランスを有するランス体と、前後方向に関して前記ハウジング本体と前記ランス体との間に位置し、前記端子金具の前記キャビティへの挿抜を許容する仮係止位置と、前記端子金具を前記ランスとともに抜け止めする本係止位置とに前後方向と交差する方向に移動可能なリテーナとを備え、前記リテーナ、前記ランス体及び前記ハウジング本体がそれぞれ別体とされているものであって、前記ハウジング本体の前面には、少なくとも前記ランス体の位置まで延出して前記ランス体を弾性的に係止することにより、前記ランス体の前記ハウジング本体からの離脱を規制する保持片が撓み可能に設けられ、前記保持片は、前記仮係止位置と前記本係止位置との間を移動する前記リテーナと摺接する摺接面を有している構成としたところに特徴を有する。
【０００７】
請求項２の発明は、請求項１に記載のものにおいて、前記ランス体の前面にはフロントマスクが装着され、前記フロントマスクには前記保持片の撓み空間に進入して前記保持片の撓みを規制する規制部が設けられているところに特徴を有する。
【０００８】
請求項３の発明は、請求項２に記載のものにおいて、前記フロントマスクには、前記仮係止位置と前記本係止位置との間を移動する前記リテーナと摺接する案内壁が設けられているところに特徴を有する。
【発明の効果】
【０００９】
＜請求項１の発明＞
リテーナ、ランス体及びハウジング本体がそれぞれ別体とされていても、ハウジング本体の前面には保持片が撓み可能に設けられているから、ランス体のハウジング本体からの離脱が規制される。また、保持片の摺接面にリテーナが摺接することによってリテーナの移動案内がなされる。したがって、リテーナの移動案内を行うための専用構造を設ける必要がなく、構成の簡素化を図れる。
【００１０】
＜請求項２の発明＞
フロントマスクのランス体への装着に伴い、保持片の撓みが規制され、リテーナ及びランス体の遊動が確実に規制される。
【００１１】
＜請求項３の発明＞
リテーナは保持片とともに案内壁によってもその移動案内がなされるため、案内機能の信頼性が高められる。
【発明を実施するための最良の形態】
【００１２】
＜実施形態１＞
本発明の実施形態１を図１ないし図１１によって説明する。本実施形態に係るコネクタ１０は、図示しない相手コネクタと嵌合可能とされ、フレーム２０、ハウジング本体４０、リテーナ６０、ランス体８０、フロントマスク１００及びレバー１２０を備えている。このうち、フレーム２０とハウジング本体４０とは互いに一体のハウジング１４０とされ、ハウジング１４０、リテーナ６０、ランス体８０、フロントマスク１００及びレバー１２０はそれぞれ別体とされており、いずれも合成樹脂材によって構成されている。なお、以下の説明において前後方向については相手コネクタとの嵌合面側を前方とする。
【００１３】
ハウジング本体４０は、図６に示すように、矩形枠状をなすフレーム２０の内側後部に位置し、全体として角ブロック状をなしている。ハウジング本体４０の内部には、前後方向に貫通する複数の第１キャビティ４１が設けられている。第１キャビティ４１には後方から端子金具１６０が挿通され、第１キャビティ４１の断面形状はここに挿通される端子金具１６０の接続部１６１（後述する）と対応する形状とされている。
【００１４】
端子金具１６０は導電性の金属板を曲げ加工等して一体に成形され、図５に示すように、相手コネクタに装着された相手端子金具のタブ（図示せず）を受け入れる筒状の接続部１６１と、接続部１６１よりも後方に位置して電線１８０の端末に接続されるバレル部１６２とを有している。接続部１６１にはタブと弾性的に接触する接触片（図示せず）が設けられている。
【００１５】
ハウジング本体４０の後部にはゴム栓収容部４２が後面に開口して設けられている。ゴム栓収容部４２には後方から一括型のゴム栓４３が密嵌状態で挿入されている。ゴム栓４３には、各第１キャビティ４１と対応する位置毎に、端子金具１６０に接続された電線１８０を密着状態で通す電線密着孔４４が貫通して設けられている。また、ゴム栓収容部４２にはゴム栓４３に続いて後方からゴム栓押さえ４５が挿入されるようになっている。ゴム栓押さえ４５には、各電線密着孔４４と対応する位置毎に、電線１８０を遊挿状態で通す電線遊挿孔４６が貫通して設けられている。ゴム栓４３はハウジング本体４０内を液密状にシールする役割を果たし、ゴム栓押さえ４５はゴム栓４３のゴム栓収容部４２からの離脱を規制する役割を果たす。
【００１６】
ハウジング本体４０の前面には、図６に示すように、その幅方向中央よりもやや一端側にずれた位置でかつゴム栓収容部４２よりも前方の位置に、リブ受け部４７が凹設されている。リブ受け部４７には相手コネクタのリブ（図示せず）が前方から嵌入可能とされている。また、ハウジング本体４０の前面には、幅方向に一対の保持片４８が前方へ真直ぐ延出して設けられている。各保持片４８は、その板面（内外両面）を幅方向（内外方向）に向けた帯板状をなし、幅方向に撓み変形可能とされている。各保持片４８の内面には、図５に示すように、リテーナ６０と対応する位置に、リテーナ６０に設けられた係合孔６７（後述する）の内側縁に摺動する摺接面４９が設けられている。
【００１７】
各保持片４８の先端部には、図７に示すように、内向きに突出する係止爪５１が突出して設けられている。各係止爪５１はランス体８０に弾性的に係止可能とされている。各保持片４８のうち、一方の保持片４８は、ハウジング本体４０の幅方向一端側でかつフレーム２０の内側面の近くに位置し、他方の保持片４８は、ハウジング本体４０の幅方向他端寄りでかつフレーム２０の内側面からやや離れて位置している。ハウジング本体４０の各保持片４８間には、比較的小型の端子金具１６０を挿通可能な小型の第１キャビティ４１が集合して設けられている。
【００１８】
また、ハウジング本体４０の前面には、図６に示すように、幅方向に関して他方の保持片４８と同じ位置に、第１段差５２が高さ方向に設けられ、第１段差５２を境とした幅方向一端側の領域が他端側の領域よりも前方へ一段突き出て配置されている。この幅方向他端側の領域には、比較的大型の端子金具１６０を挿通可能な大型の第１キャビティ４１が高さ方向に３つ並んで設けられている。
【００１９】
ハウジング本体４０の外面後端部はフレーム２０の内面全周に連なる連結部５０とされ、ハウジング本体４０の外面は連結部５０を除いてフレーム２０の内面との間に間隔をあけて配置され、このハウジング本体４０の外面とフレーム２０の内面との間は前方から相手コネクタのフード部（図示せず）を受け入れ可能な組付空間５３とされている。また、ハウジング本体４０の外面のうち連結部５０の直前方にはシールリング５４が嵌着されている。シールリング５４はハウジング本体４０の外面とフード部の内面とに弾縮状態で密着され、両コネクタ間を液密状にシールする役割を果たす。
【００２０】
フレーム２０は、その内側に、リテーナ６０、ランス体８０及びフロントマスク１００が前方から挿入される収容空間２１を有し、連結部５０に連なってハウジング本体４０の回りを包囲する内壁２２と、内壁２２よりも外側に位置する幅方向に一対の外壁２３とを有する二重壁構造とされている。内壁２２と外壁２３とはその前端及び上端において連結壁２４を介して一体に連結されている。連結壁２４、外壁２３及び内壁２２の間は、図５に示すように、レバー１２０のアーム部１２２（後述する）を収容可能な収納空間２５とされている。そして、各外壁２３の内面には、レバー１２０を回動可能に支持する円柱状の支軸２６が突出して設けられている。
【００２１】
内壁２２には、図６に示すように、相手コネクタに設けられたカムフォロア（図示せず）を前方から受け入れ可能な導入溝２７が前端に開口して設けられている。支軸２６は導入溝２７を通して前方から視認可能とされている。また、内壁２２のうち外壁２３を有しない上部には、図７に示すように、各保持片４８を成形する際に金型が上方へ抜かれることによってなる型抜き孔２８が貫通して設けられている。型抜き孔２８は幅方向に長い矩形状をなし、ここを通して上方から各保持片４８が視認可能とされ、かつ組付状態ではリテーナ６０が視認可能とされている。一方、内壁２２のうち外壁２３を有しない下部の前端部には、図６に示すように、レバー１２０を回動規制状態に保持するレバーロック部２９が突出して設けられている。
【００２２】
レバー１２０は、幅方向に延出する操作部１２１と、操作部１２１の幅方向両端から互いに平行に突出する一対のアーム部１２２とからなり、全体として門型板状をなしている。アーム部１２２には、図１１に示すように、支軸２６を受ける軸受け孔１２３が貫通して設けられ、かつその内面には相手コネクタのカムフォロアと係合可能なカム溝１２４が凹設されている。操作部１２１の幅方向中央部には、図１に示すように、レバーロック部２９と係合可能なロック片１２５が撓み可能に設けられている。レバー１２０は、支軸２６を中心として初期位置と嵌合位置とに回動可能とされ、初期位置から嵌合位置に向かう過程ではカム溝１２４の溝面にカムフォロアが摺動して発揮されるカム作用によって相手コネクタとの嵌合動作を低操作力で進行させ、嵌合位置ではロック片１２５がレバーロック部２９を弾性的に係止されることでその回動が規制されるようになっている。
【００２３】
ランス体８０は、図５及び図８に示すように、ハウジング本体４０よりも前方に配置され、全体として前後長さの短い扁平な角ブロック状をなしている。そして、ランス体８０は、各第１キャビティ４１と対応する位置毎に、端子金具１６０の先端部が挿入される第２キャビティ８１が前後方向に貫通して設けられている。各第２キャビティ８１の内面には前方へ突出するランス８２が撓み可能に設けられている。各第２キャビティ８１に正規挿入された端子金具１６０はランス８２に弾性的に係止されて後方へ抜け止めされるようになっている。なお、かかるランス８２はハウジング本体４０には設けられていない。
【００２４】
ランス体８０には、各第２キャビティ８１の周り包囲するキャビティタワー８３が前方に突出して設けられている。そして、各第２キャビティ８１の前面には前方から進入する相手端子金具のタブを誘い込むテーパ状の誘い込み部８４が周方向に部分的に設けられている。また、ランス体８０には、ハウジング本体４０の第１段差５２と対応する位置に、第２段差８５が高さ方向の全高に亘って設けられている。ランス体８０は、第２段差８５を境とする幅方向一端側の部位が他端側の部位よりも前方に一段突き出る段付き形状をなしている。また、ランス体８０には、その幅方向中央よりも一端側へずれた位置に、相手コネクタのリブが通されるリブ挿通孔８６が貫通して設けられている。
【００２５】
そして、ランス体８０には、各保持片４８と対応する位置に、幅方向に一対の受け孔８７が貫通して設けられている。各受け孔８７のうち、一方の受け孔８７は幅方向一端側にてランス体８０の側縁に開口する形状とされ、他方の受け孔８７は幅方向他端側にてループ状に開口する形状とされている。各受け孔８７には後方から対応する保持片４８がその撓み空間５９を保有しつつ遊嵌状態で挿入されるようになっている。ランス体８０の前面には、各受け孔８７の内側の開口縁に、各係止爪５１が掛け止めされる幅方向に一対の切欠部８８が周囲から一段落ちて設けられている。
【００２６】
リテーナ６０は、図５及び図１０に示すように、前後方向に関してランス体８０とハウジング本体４０との間に配置され、全体として高さ方向に沿った平板状をなし、各第１キャビティ４１及び各第２キャビティ８１と対応する位置毎に、透孔６１が貫通して設けられている。かかるリテーナ６０は、端子金具１６０の第２キャビティ８１への挿入を許容する仮係止位置と、端子金具１６０の第２キャビティ８１からの抜けを規制する本係止位置とに、フレーム２０の収容空間２１に収まる範囲で高さ方向（前後方向と交差（詳細には直交）する方向）に移動可能とされている。リテーナ６０の幅方向両端面には、図２に示すように、幅方向に一対の仮係止受け部６２と本係止受け部６３とが高さ方向に並んで設けられている。ハウジング本体４０の内面には、各仮係止受け部６２及び各本係止受け部と対応する位置に、幅方向に一対の仮係止部３８及び本係止部３９が設けられている。仮係止受け部６２が仮係止部３８に係止されることでリテーナ６０が仮係止位置に仮保持され、本係止受け部が本係止部３９に係止されることでリテーナ６０が本係止位置に保持されるようになっている。仮係止位置では、各透孔６１に端子金具１６０が遊挿状態で通され、本係止位置では、各透孔６１の孔縁における抜止部６５が端子金具１６０の接続部１６１の後端に当接可能に配されて端子金具１６０が抜け止めされる。
【００２７】
リテーナ６０における幅方向中央よりも一端側へ少しずれた位置には、相手コネクタのリブが通されるリブ通し孔６６が貫通して設けられている。リブ通し孔６６は対応する透孔６１と部分的に連通する形状とされている。
【００２８】
また、リテーナ６０には、各保持片４８と対応する位置に、幅方向に一対の係合孔６７が貫通して設けられている。各係合孔６７のうち、一方の係合孔６７は幅方向一端側にてリテーナ６０の側縁に開口する形状とされ、他方の係合孔６７は幅方向他端側にてループ状に開口する形状とされている。さらに、リテーナ６０には、図１０に示すように、幅方向に関して他方の係合孔６７と同じ位置に、第３段差６８が高さ方向の全高に亘って設けられている。リテーナ６０は、第３段差６８を境とする幅方向一端側の部位が他端側の部位よりも前方に一段突き出る段付き形状をなしている。フレーム２０の収容空間２１にリテーナ６０及びランス体８０がそれぞれ正規挿入されると、第１段差５２、第２段差８５及び第３段差６８がそれぞれ対応位置して、それぞれの幅方向の一端側の部位と他端側の部位とが面当り可能に適合するようになっている。
【００２９】
ここで、各係合孔６７は、高さ方向に細長い矩形状に開口する形状とされ、後方から各保持片４８がその撓み空間５９を保有しつつ遊嵌状態で通されるようになっている。各係合孔６７の内側縁は、高さ方向に真直ぐ延出する形状とされ、リテーナ６０が仮係止位置と本係止位置との間を移動するときに、各保持片４８の内面が摺動する摺接受け面６９とされている。
【００３０】
フロントマスク１００は、前方からランス体８０に被着されるものであって、全体としてキャップ状をなし、図５及び９に示すように、ランス体８０の前面を被覆する矩形状の前壁１０１と、前壁１０１の外周縁から後方へ突出する筒状の周壁１０２とからなる。周壁１０２の後端には、リテーナ６０の幅方向両端面を被覆可能な板状の案内壁１０３が高さ方向に形成されている。
【００３１】
フロントマスク１００には、相手端子金具のタブを前方から受容可能でかつキャビティタワー８３の先端部が嵌合可能な複数の挿通孔１０４がループ状に貫通して設けられている。各挿通孔１０４の前面には、フロントマスク１００がランス体８０に装着されたときに、第２キャビティ８１の誘い込み部８４と周方向で合体する誘い込み部１０５が設けられ、両誘い込み部８４、１０５が全周に亘って連なるようになっている。また、誘い込み部１０５は、ランス８２の一部を前方から隠蔽可能とされている。
【００３２】
フロントマスク１００における幅方向中央よりも一端側へ少しずれた位置には、相手コネクタのリブが通されるリブ導入孔１０６が貫通して設けられている。前壁１０１の後面には、図５に示すように、フロントマスク１００がランス体８０に装着されたときに、他方の保持片４８の撓み空間５９（係止爪５１の突出側とは反対側の空間）に進入してこの保持片４８の撓み動作を規制する板状の規制部１０９が後方へ突出して設けられている。また、フロントマスク１００がランス体８０に装着されたときに、一方の保持片４８の撓み空間５９には、周壁１０２が進入してこの保持片４８の撓み動作を規制するようになっている。このとき、周壁１０２と規制部１０９とは、自然状態にある保持片４８の外側面に当接して配置されるようになっている。
【００３３】
次に、本実施形態に係るコネクタ１０の組付手順及びその作用について説明する。  
まず、フレーム２０の収容空間２１に前方からリテーナ６０を挿入し、図４に示すように、ハウジング本体４０の前面にリテーナ６０を被覆して当接させる。リテーナ６０の挿入過程では、係止爪５１が係合孔６７の摺接受け面６９と干渉して保持片４８が外側へ弾性的に拡開させられる。リテーナ６０が正規挿入されると、係止爪５１が係合孔６７を抜けるとともに、保持片４８が自然状態に弾性復帰して係合孔６７に貫通して配される。このとき、リテーナ６０は、仮係止受け部６２による係止作用によって仮係止位置に留め置かれるか、又は本係止受け部６３による係止作用によって本係止位置に留め置かれる。
【００３４】
続いて、フレーム２０の収容空間２１に前方からランス体８０を挿入し、図３に示すように、リテーナ６０の前面にランス体８０を被覆して当接させる。ランス体８０の挿入過程では、係止爪５１が受け孔８７の内側縁を摺動して保持片４８が外側へ弾性的に拡開させられる。ランス体８０が正規挿入されると、係止爪５１が受け孔８７を抜けるとともに、保持片４８が自然状態に弾性復帰し、それと同時に係止爪５１がランス体８０の前面における切欠部８８を弾性的に係止して、ランス体８０がハウジング本体４０に抜け止め状態に保持される。このとき、リテーナ６０は、ハウジング本体４０とランス体８０との間に挟持された状態となる。
【００３５】
さらに、フレーム２０の収容空間２１に前方からフロントマスク１００を挿入し、図１に示すように、ランス体８０の前面にフロントマスク１００を被覆して当接させる。フロントマスク１００が正規挿入されると、各保持片４８の撓み空間５９に規制部１０９及び周壁１０２が進入して各保持片４８の弾性撓みが規制され、ランス体８０及びリテーナ６０が位置決め状態に保持される。
【００３６】
上記の状態で、リテーナ６０を仮係止位置に保持させ、次いで後方から電線１８０付きの端子金具１６０を挿入する。端子金具１６０の接続部１６１は、電線遊挿孔４６、電線密着孔４４、第１キャビティ４１及び透孔６１を経て第２キャビティ８１に挿入され、誘い込み部８４、１０５の後面に当接して前止まりがなされるとともに、ランス８２に弾性的に係止されて後方への抜け止めがなされる。続いて、リテーナ６０を高さ方向に押し込んで本係止位置に移動させる。リテーナ６０が本係止位置に至ると、抜止部６５が端子金具１６０の接続部１６１の後端と対向する位置に配され、ランス８２とともに端子金具１６０の後方への抜け止めを行う。
【００３７】
リテーナ６０が本係止位置に至る過程では、各保持片４８の摺接面４９にその内側から対応する摺接受け面６９が摺動するとともに、他方の保持片４８の外面（摺接面４９とは反対側面）にその外側から案内壁１０３が摺動し、かつリテーナ６０の幅方向の一端面にその外側から案内壁１０３が摺動することで、リテーナ６０の移動案内がなされ、リテーナ６０の幅方向への遊動が規制される。その後、組付空間５３に前方から相手コネクタのフード部が嵌入され、それによって端子金具１６０が相手端子金具と電気的に接続されることとなる。
【００３８】
このように本実施形態に係るコネクタ１０によれば、ハウジング本体４０の前面に設けられた保持片４８によってランス体８０のハウジング本体４０からの抜け止めがなされるとともに、保持片４８の摺接面４９にリテーナ６０の摺接受け面６９が摺接することによってリテーナ６０の移動案内がなされる。このように、保持片４８がランス体８０を保持する機能とリテーナ６０の移動案内機能の両機能をあわせ持つことにより、両機能にそれぞれ対応する専用構造を設けなくて済むため、構成の簡素化を図れる。
【００３９】
また、フロントマスク１００のランス体８０への装着に伴い、規制部１０９が保持片４８の撓み空間５９に進入するから、保持片４８の撓みが規制されて、リテーナ６０及びランス体８０の遊動が確実に規制される。さらに、リテーナ６０は保持片４８とともに案内壁１０３によってもその移動案内がなされるため、保持片４８のみによるよりも案内機能の信頼性が高められる。
【００４０】
＜他の実施形態＞
本発明は上記記述及び図面によって説明した実施形態に限定されるものではなく、例えば次のような実施形態も本発明の技術的範囲に含まれる。  
（１）リテーナの幅方向両端面が保持片の摺接面と摺動する構成であってもよい。  
（２）保持片はハウジング本体の前面に１つ又は３つ以上設けられるものであってもよい。  
（３）ハウジング本体とフレームとがそれぞれ別体とされていてもよい。
【図面の簡単な説明】
【００４１】
【図１】本発明の実施形態１に係るコネクタの正面図である。
【図２】リテーナがフレームに係止された状態を背面視した断面図である。
【図３】フロントハウジングを装着する前の状態であってランス体の前面が露出されたコネクタの正面図である。
【図４】フロントマスク及びランス体を装着する前の状態であってリテーナの前面が露出されたコネクタの正面図である。
【図５】ランス体が保持片によって係止された状態を平面視した断面図である。
【図６】ハウジングの正面図である。
【図７】ハウジングの平面図である。
【図８】ランス体の正面図である。
【図９】フロントマスクの正面図である。
【図１０】リテーナの正面図である。
【図１１】レバーの側面図である。
【符号の説明】
【００４２】
１０…コネクタ
２０…フレーム
４０…ハウジング本体
４１…第１キャビティ（キャビティ）
４８…保持片
４９…摺接面
５１…係止爪
５９…撓み空間
６０…リテーナ
６７…係合孔
８０…ランス体
８２…ランス
１００…フロントマスク
１０３…案内壁
１０９…規制部
１６０…端子金具
【図１】
2010103029.tif 000003
【図２】
2010103029.tif 000004
【図３】
2010103029.tif 000005
【図４】
2010103029.tif 000006
【図５】
2010103029.tif 000007
【図６】
2010103029.tif 000008
【図７】
2010103029.tif 000009
【図８】
2010103029.tif 000010
【図９】
2010103029.tif 000011
【図１０】
2010103029.tif 000012
【図１１】
2010103029.tif 000013